(57)【要約】　　　（修正有）【課題】濾過効率に優れ、コンパクトな液体中の固体を分離する装置を提供する。【解決手段】両面よりフイルタを取り付けた濾過パネル（Ａ）を並べ、濾過パネル（Ａ）間の間隙より固体を含む流体を流入させ、流体はフイルタ間の間隙より排出し、固体は下方に設けた内容物溜りに入るようにしたもの。濾過パネル（Ａ）の枚数を増せばコンパクトな状態で大きなフイルタ面積を自由に設定が可能で、空気中の塵埃の分離、液体中のヘドロの分離に適用できる。【選択図】図３
2004074126.tif 000002
【特許請求の範囲】
【請求項１】
排出のための間隙（５）を保持して対面するフイルタ（４）（４’）と同様の対面するフイルタ（４）（４’）を流入のための間隙（６）を隔てて平行に設置し、その流入のための間隙（６）の一方より内容物を含む流体を流入させ、他方に内容物溜り（１６）を設け、更にフイルタ（４）（４’）を通して排出のための間隙（５）より流体を排出するようにした流体に含む内容物の分離装置。
【請求項２】
排出のための間隙（５）を保持して対面するフイルタ（４）（４’）をパネル状として、この濾過パネル（Ａ）を流入のための間隙（６）を隔てて平行に設置するようにした請求項１に記載する流体に含む内容物の分離装置。
【請求項３】
長いフイルタ（２３）を排出のための間隙（５）を保持して対面するようにフイルタ（２３）をユーターンさせ、更に流入のための間隙（６）を隔てて逆方向にユーターンするようにした請求項１に記載する流体に含む内容物の分離装置。
【請求項４】
内容物溜り（１６）に連結して容積可変部（Ｃ）を設けて内容物溜り（１６）の容積を増幅し、且つ復元することを繰り返すことによってフイルタに附着した内容物を内容物溜り（１６）に入れるようにした請求項１に記載する流体に含む内容物の分離装置。
【請求項５】
流入のための間隙（６）を保持して対面するフイルタ（４）（４’）を箱状として、この濾過箱（Ｄ）を排出のための間隙（５）を隔てて平行に設置するようにした請求項１に記載する流体に含む内容物の分離装置。
【請求項６】
排出孔（１５）の位置を濾過部（Ｂ）の下部に取り付けた請求項１に記載する流体に含む内容物の分離装置。
【請求項７】
濾過部（Ｂ）を液体で満たすようにその液面まで連絡パイプ（１９）を上げるようにした請求項１に記載する流体に含む内容物の分離装置。
【発明の詳細な説明】
【０００１】
【発明の属する技術分野】
本発明は、気体或は液体いわゆる流体に含まれた固体からなる内容物を流動中に分離するようにした装置に関するもの。
【０００２】
【従来の技術】
従来の分離装置は内容物溜りとフイルタが同一のところにあるため、フイルタに附着した軽い内容物を逆流などでたとえ除去しても、内容物溜りに浮遊して再びフイルタに附着することになり分離効率を悪くしている。
家庭用掃除機などはフイルタそのものが袋になり内容物溜りとなっている。なかには円筒形のフイルタを使用したものがあるが容積が大きくなるなど、フイルタ面積を広くとることは難しく、コンパクトにすることは困難であった。
【０００３】
【発明が解決しようとする課題】
従来の分離装置はフイルタによる濾過部と内容物溜りが同一のところにあるが、それを夫々に区別して設置して濾過効率をよくすると共にコンパクトにすることを目的にしている。
【０００４】
【課題を解決するための手段】
上記の目的を達成するために、本発明の分離装置においては、或る間隙をあけて両面よりフイルタを取り付けたパネルを作る。このパネルを適当な間隙をあけて平行に並べる。そしてパネルとパネルの間隙の上部より、塵埃などの内容物を含む気体、或はヘドロなどの内容物を含む液体を流入させる。そして下部には分離された内容物の入る溜りを設ける。
【０００５】
流入した流体はフイルタを通りフイルタ間の間隙を経て排出される。フイルタで分離された重い内容物は内容物溜り落下する。しかし埃のような軽い内容物或はヘドロなどは浮力が働いて落下せずにフイルタ面に付着する。この場合は自然落下でなくて強制的に内容物溜りに入れなくてはならない。それには内容物溜りの容積を急激に大きくして内容物溜りに引き込む、それと同時に流体の流れを逆流させてフイルタ面の附着を除去する。
【０００６】
この方法は内容物溜りに連結した筒の中のピストンの移動による容積可変部で行う。ピストンの移動により筒の中の容積の広がった分だけ内容物は吸い込まれる。筒の反対側の容積は圧縮されるので中の流体は逆流してフイルタ面の附着を除去する働きをする。
【０００７】
【発明の実施の形態】
発明の実施の形態を実施例にもとづいて図面を参照して説明する。
図１と図２に示すように濾過について説明する。縦桟（１）（１’）と横桟（２）（２’）を回して矩形の枠を作り、更にフイルタが圧力によってたわむのを防止するために横に中桟（３）を適当な間隔をおいて付ける。そしてこの枠の両面にフイルタ（４）（４’）を取り付ける。
フイルタ（４）は気体の場合は家庭用掃除機に使用する紙製のもの或は工業用の布製のものであり、液体の場合でヘドロには金網１００メッシュなど流体及び内容物に合わせたものを使用する。
【０００８】
このフイルタ（４）とフイルタ（４’）の間は排水のための間隙（５）となる。この間隙（５）の流れは左右両方向に横に流れるので中桟（３）は横方向のみに入る。但し中心には縦桟一本だけは入れることが出来る。
こうして作られた濾過パネル（Ａ）を流入のための間隙（６）を隔てて図（３）、図（４）に示すように平行に並べる。そして縦桟（１）（１’）より少し内側に入ったところに仕切板（７）（７’）を両側に付け濾過パネル（Ａ）間を仕切る。この仕切板（７）（７’）とフイルタ（４）（４’）で囲まれた流入のための間隙（６）に流体が流入する。この上面が流入口（８）であり、下面が内容物の排出口（９）となる。
【０００９】
同様の方法で何枚かの濾過パネル（Ａ）を並べたものが濾過部（Ｂ）である。更に両端の濾過パネル（Ａ）は仕切板（７）（７’）によって外箱（１０）との間を仕切る。この囲まれた上面も流入口（８）となり下面も排出口（９）となる。
次に図５、図６に示すように上面の流入口（８）以外からは流体が流入しないように外箱（１０）との間は凡て間仕切板（１１）（１１’）で区切られる。この場合流入口（８）に入り易いように斜めに取り付ける。次に下面も排出口（９）と外箱（１０）との間は凡て間仕切板（１２）（１２’）で区切られる。
【００１０】
図７で示すように流入孔（１３）より流入した流体は案内板（１４）で分散して流入口（８）より流入する。そして流体はフイルタ（４）を通って排水のための間隙（５）を経て更に縦桟（１）と仕切板（７）との隙間を通り抜けて排出孔（１５）より排出される。内容物はフイルタ（４）で分離されて重いものは落下して排出口（９）より内容物溜り（１６）に入る。しかし埃のような軽いもの或はヘドロのような浮力の働くものは落下しにくくフイルタ（４）面に附着する。
【００１１】
図７、図８に示すように附着の除去のための容積可変部（Ｃ）について説明する。それは筒（１７）の中にピストン（１８）を設けて動力により左右に移動する。従って筒（１７）はピストン（１８）で二つの部分に分かれる。一方は内容物溜り（１６）に連結し、他方の端部は連絡パイプ（１９）によって排出孔（１５）に接続され、更に口元に開閉辨（２０）を有する排水パイプ（２１）が設けられている。
ピストン（１８）は当初は図７で示すように内容物溜り（１６）に近い位置にある。ピストン（１８）が急激に図８でしめすように左に移動することにより筒（１７）内の流体は排出される。その場合開閉辨（２０）は急激の流れによって閉じるので連絡パイプ（１９）を逆流してフイルタ（４）面の附着を除去する。それと同時に内容物溜り（１６）の容積がピストン（１８）の移動した分だけ増大するので内容物は吸い込まれることとなる。
【００１２】
その後は内容物が再び戻らないように徐々にピストン（１８）を元の位置に戻す。この操作を時々行うことにより内容物溜り（１６）が一杯になれば取り出し口（２２）より取り出すことになる。
この操作は強力な逆流であれば運転中でも可能である。また、運転を止めて行うなら開閉辨（２０）は必要ない。
次に内容物を含む流体をこの分離装置に送り込む方法は、流入孔（１３）より送り込むか、或は排水パイプ（２１）より吸い取るかの方法がある。分離の効果は夫々変わらないが気体は吸い取り、液体は送り込むことがよい。
常時の排出孔（１５）からの流れは、連絡パイプ（１９）を通り、筒（１７）内に入り、開閉辨（２０）は開いているので排水パイプ（２１）を経て排出される。
【００１３】
排出孔（１５）の取り付け位置は内容物を内容物溜り（１６）へ入り易い流れをつけるために濾過部（Ｂ）の下部に付けることで落下をうながす。
液体の場合は図９に示すように濾過部（Ｂ）を満たしておく必要があるのでその液面まで連絡パイプ（１９）を上げておかなくてはならない。
図１０に示すように濾過部をパネルでなく、一枚の長いフイルタ（２３）で行う場合について説明する。　フイルタ（２３）を排出のための間隙（５）を保持するように支柱（２４）を回りユーターンして対面させる。次に流入のための間隙（６）を保って支柱（２５）を回ってユーターンすることを繰り返す。そして外箱（１０）の中に入る寸法の間仕切板に流入口（８）排出口（９）をあけた上下二枚の板の間に支柱（２４）（２５）及び仕切板（７）を固定する。ただし仕切板（７）は構造的に片方のみでよい、こうして出来た濾過部（Ｂ）を外箱（１０）に取り付けたものである。
【００１４】
次に排出のための間隙（５）を保持する濾過パネル（Ａ）とは逆の考え方で図１１、図１２に示すように流入のための間隙（６）の巾を有する側版（２６）（２６’）を対面させて、夫々の四隅を内側から横桟で仮止めする。そしてこの両面にフイルタ（４）（４’）を付けて箱状のものを作る。次にフイルタ（４）（４’）の上から横桟（２）（２’）を上下に付け、適当な間隔をあけて中桟（３）を取り付けてから、仮止めの横桟を取りはずしたものが濾過箱（Ｄ）である。この濾過箱（Ｄ）の上面が流入口（８）であり下面の排出口（９）であり、フイルタ（４）面の内容物が落下し易くするために横桟（２）中桟（３）は外部に取り付けている。
濾過箱（Ｄ）を排出のための間隙（５）を隔てて平行に並べる。そして流入口（８）排出口（９）をあけた上下二枚の間仕切板に固定してから外箱（１０）に取り付ける。この装置の方が構造的に簡単であり、その効果は変わることなく廉価にできる。
【００１５】
【発明の効果】
内容物を含む流体の流入は上方からであり、内容物の流れは下方であり、そしてフイルタを通して横方向への流体の流れ、このような方向の流れによってフイルタで分離された内容物を内容物溜りに送り込み、再びフイルタ面に戻ることのないようにしたものである。
流速、流量によりフイルタの面積を広くしたいときは、パネルの枚数を増せばよく、コンパクトな状態で広い面積を得ることが可能となる。
極端にフイルタ面積を大きくすれば目づまり防止となる。
【００１６】
極めて軽いもの或はヘドロなど浮力でフイルタ面に附着した場合の除去方法は、容積可変部によって逆流を起こしてフイルタ面の附着を除去すると同時に内容物溜りの容積増幅によって吸い込むようにしたものである。
この操作を時々繰り返すことで内容物溜りの内容物は次第に多くなってゆく。
以上の説明のように最も効果的な分離装置であり且つ洵に合理的に考えられたフイルタ面の附着の除去方法であって、流動中に自動的に分離することのできる装置である。
【図面の簡単な説明】
【図１】濾過パネルの実施例を示す立面図である。
【図２】濾過パネルの実施例を示す側面図である。
【図３】濾過部の実施例を示す斜視図である。
【図４】濾過部の取付部の実施例を示す横断面図である。
【図５】濾過部の取付部の実施例を示す平面図である。
【図６】濾過部の取付部の実施例を示す斜視図である。
【図７】分離装置の実施例を示す縦断面図である。
【図８】容積可変部の実施例を示す縦断面図である。
【図９】排水パイプの実施例を示す縦断面図である。
【図１０】長いフイルタによる濾過部を示す横断面図である。
【図１１】濾過箱を示す斜視図である。
【図１２】濾過箱の取付部を示す横断面図である。
【符号の説明】
４　４’　フイルタ
５　　　　排出のための間隙
６　　　　流入のための間隙
１０　　　　外箱
１６　　　　内容物溜り
１７　　　　筒
１８　　　　ピストン
１９　　　　連絡パイプ
２０　　　　開閉辨
２３　　　　長いフイルタ
２６　２６’側板
Ａ　　　　　濾過パネル
Ｂ　　　　　濾過部
Ｃ　　　　　容積可変部
Ｄ　　　　　濾過箱
【図１】
2004074126.tif 000003
【図２】
2004074126.tif 000004
【図３】
2004074126.tif 000005
【図４】
2004074126.tif 000006
【図５】
2004074126.tif 000007
【図６】
2004074126.tif 000008
【図７】
2004074126.tif 000009
【図８】
2004074126.tif 000010
【図９】
2004074126.tif 000011
【図１０】
2004074126.tif 000012
【図１１】
2004074126.tif 000013
【図１２】
2004074126.tif 000014